(57)【要約】【課題】感度調整を簡単且つ高精度に可能とする。【解決手段】光電式煙感知器は、パルス信号により間欠的に発光用ＬＥＤ１０ａを発光駆動し、発光用ＬＥＤ１０ａからの光による煙の散乱光を受光素子１１ａで受光して火災を感知する。ＣＰＵ６の機能として設けた発光パルス幅制御部１６は、発光用ＬＥＤ１０ａを発光駆動するパルス信号のパルス幅を制御して所定の感度に調整する。特に発光パルス幅制御部１６は、所定感度に対応した受光出力値を目標値とし、この目標値に一致するように発光パルス信号のパルス幅を自動的に制御して調整値を得る。【選択図】          図１
2004246756.tif 000002
【特許請求の範囲】
【請求項１】
パルス信号により間欠的に発光部を発光駆動し、前記発光部からの光による煙の散乱光を受光部で受光して火災を感知する光電式煙感知器に於いて、
前記発光部を発光駆動するパルス信号のパルス幅を制御して所定の感度に調整する発光パルス幅制御部を設けたことを特徴とする光電式煙感知器。
【請求項２】
請求項１記載の光電式煙感知器に於いて、前記発光パルス幅制御部は、予め定めた異なる所定感度に対応したパルス幅を選択的に設定する感度切替スイッチを備えたことを特徴とする光電式煙感知器。
【請求項３】
請求項１記載の光電式煙感知器に於いて、前記発光パルス幅制御部は、所定感度に対応した受光出力値を目標値とし、該目標値に一致するように前記パルス信号のパルス幅を制御し、前記目標値に一致する受光出力が得られたときのパルス幅を所定感度の調整値として保持することを特徴とする光電式煙感知器。
【請求項４】
請求項３記載の光電式煙感知器に於いて、前記発光パルス幅制御部は、所定のパルス幅初期値をもつパルス信号により前記発光部を発光駆動させて検出した受光出力値と目標値とを比較し、目標値より小さい場合はパルス幅を増加させ、目標値より大きい場合はパルス幅を減少させることにより目標値に一致させ、目標値に一致したときのパルス幅を所定感度の調整値とすることを特徴とする光電式煙感知器。
【請求項５】
請求項３又は４記載の光電式煙感知器に於いて、前記発光パルス幅制御部は、前記受光出力値として受光出力信号のピーク値を検出することを特徴とする光電式煙感知器。
【請求項６】
請求項３又は４記載の光電式煙感知器に於いて、前記発光パルス幅制御部は、前記受光出力値として、複数回の発光駆動で得られた受光出力信号のピーク値から平均値を算出することを特徴とする光電式煙感知器。
【発明の詳細な説明】
【０００１】
【発明の属する技術分野】
本発明は、パルス信号により間欠的に発光部を発光駆動し、発光部からの光による煙の散乱光を受光部を受光して火災を感知する光電式煙感知器に関する。
【０００２】
【従来の技術】
従来、光電式煙感知器にあっては、発光用ＬＥＤと受光用素子を外部から煙が流入可能で光の入射が遮断された暗箱に設け、発光用ＬＥＤの光が直接に入射しないような位置関係を持たせて受光用素子を配置している。
【０００３】
暗箱内に煙が流入した場合、発光用ＬＥＤからの光が煙に当たって散乱光が受光素子へ入射し、その光を受光素子にて電流に変換後に増幅して煙の濃度を測定し、予め定められた濃度を上回った場合、火災と判断して火災信号を受信機に送って警報を出力させる。
【０００４】
このような光電式煙感知器は、発光用ＬＥＤ、受光素子、増幅回路、暗箱の特性など様々なばらつき要因があるため、火災に対する感度特性を均一にするために、感度調整を必要としている。この感度調整は、例えば発光用ＬＥＤに流す発光電流を調整したり、増幅回路の利得を調整したりして一定の濃度の煙で一定の出力に安定するように工夫されている。
【０００５】
【特許文献１】
特開２００１−１０１５４２号公報
【特許文献２】
特開２００１−１４３１７５号公報
【特許文献３】
特開２００１−１８４５７３号公報
【０００６】
【発明が解決しようとする課題】
しかしながら、このような従来の光電式煙感知器の感度を調整する手段は、ボリュームであったり、調整抵抗を切り替えたりするものであり、製造段階の最終的な調整工程で手作業により調整しているため、手間と時間がかかり、製造コストの低減を妨げている。
【０００７】
またボリュームを用いた手作業による感度調整では、調整値そのものに作業者によるばらつきがあり、感度調整の精度も低いという問題がある。勿論、十分に手間と時間をかければ高精度の感度調整も可能ではあるが、生産効率が下がることからむやみに時間をかけることはできない。
【０００８】
更に、ボリュームによる感度調整にいたっては経年変化や環境の悪い場所での長期安定性に欠ける面もある。
【０００９】
本発明は、感度調整を簡単且つ高精度に可能とする光電式火災感知器を提供することを目的とする。
【００１０】
【課題を解決するための手段】
この目的を達成するため本発明の光電式煙感知器は次のように構成される。本発明は、パルス信号により間欠的に発光部を発光駆動し、発光部からの光による煙の散乱光を受光部を受光して火災を感知する光電式煙感知器であって、発光部を発光駆動するパルス信号のパルス幅を制御して所定の感度に調整する発光パルス幅制御部を設けたことを特徴とする。
【００１１】
このように本発明は、発光部用ＬＥＤの発光パルス幅を制御することで、感知器の感度調整を簡単且つ高精度に行う。
【００１２】
この発光パルス幅によって受光出力、即ち感度を制御できる理由は次のように考えることができる。
【００１３】
受光部に使用されているフォトダイオードやＰＩＮダイオードの受光電流（感度）は、放射照度Ｅで規定されており、ｍＷ／ｃｍ２の単位で表すことができる。即ち、放射照度Ｅ［ｍＷ／ｃｍ２］とは、ある面上に入射してくる単位面積当たりの放射パワーであると定義される。一方、発光部に使用されているＬＥＤの放射強度Ｉは、ｍＷ／ｓｒの単位で表される。即ち、放射強度Ｉ［ｍＷ／ｓｒ］とは、ある１つの決まった方向に伝播する単位立体角当たりの放射パワーであると定義される。なお、１ステラジアン（ｓｒ）とは、半径１ｍの球の中心から、球の表面上の１ｍ２の面積を見込んだときに張る立体角をいう。そこで光電式煙感知器の発光部につき放射強度Ｉを考え、受光部につき放射照度Ｅを考えると、両者の間には次の関係が成立する。いま発光部を発光駆動するパルス信号のパルス幅を１秒とし、仮に１Ｗの強度で発光したと仮定する。受光部には煙からの散乱光として、その１００分の１の光が入射すると仮定した場合、受光電流に変換できるエネルギーは１０ｍｗということになる。仮に発光パルス幅が１／２の５００ｍｓになった場合、空間に放出されるエネルギーは０．５Ｗとなり、受光素子へは５ｍｗが変換される計算になる。当然に受光電流も半分になり、結果的に感知器の感度を発光パルス幅の変化により低下させることになる。
【００１４】
また光電式煙感知器にあっては、発光部からの光はステップ的に立ち上がるが、受光素子で電気信号に変換した後に増幅した受光信号の出力は、発光を継続していると、ある時定数をもって立ち上がった後、一定に飽和する。
【００１５】
このため受光出力が立ち上がって飽和する前に発光を停止させれば、発光を停止した時点の受光出力値をピーク値とする山形に変化する受光出力が得られる。そこで、発光パルスの強さ（発光電流）を一定とし、発光を受光出力が立ち上がって安定するまでの期間内で停止させれば、発光期間（発光パルス幅）にほぼ比例した受光出力のピーク値を得ることが可能である。
【００１６】
本発明は、このような発光パルス幅と受光出力の関係から、発光パルス幅を制御して所定の感度に調整する。この感度調整は、光電式煙感知器に搭載しているＣＰＵの制御処理で簡単に実現され、ボリュームや抵抗切り替えといった調整手段を必要としない。
【００１７】
ここで発光パルス幅制御部は、予め定めた異なる所定感度に対応したパルス幅を選択的に設定する感度切替スイッチを備えたことを特徴とする。このように感度切替えスイッチによる発光パルス幅の選択により、簡単に調整できる。また固定感度の切替えであることから、ＣＰＵによる処理も簡単になる。
【００１８】
発光パルス幅制御部は、所定感度に対応した受光出力値を目標値とし、この目標値に一致するようにパルス信号のパルス幅を制御し、目標値に一致する受光出力が得られたときのパルス幅を所定感度の調整値として保持する。即ち、発光パルス幅制御部は、所定のパルス幅初期値をもつパルス信号により発光部を発光駆動させて検出した受光出力値と目標値とを比較し、目標値より小さい場合はパルス幅を増加させ、目標値より大きい場合はパルス幅を減少させることにより目標値に一致させ、目標値に一致したときのパルス幅を調整値とする。
【００１９】
このため所定感度に対応した受光出力値を目標値としてＣＰＵに設定すると、この目標値を与える発光パルス幅に自動調整され、調整工程は極く短時間で済み、調整精度も高く、更に感知器にボリュームのような調整手段をもたないため、経年変化や環境の悪い場所での長期安定性が保証される。
【００２０】
発光パルス幅制御部は、受光出力値として受光出力信号のピーク値を検出する。また発光パルス幅制御部は、受光出力値として複数回の発光駆動で得られた受光出力信号のピーク値から平均値を算出する。
【００２１】
【発明の実施の形態】
図１は本発明による光電式煙感知器の内部回路のブロック図である。図１において、受信機側と接続される端子Ｓ，ＳＣに続いてノイズ吸収回路１及び定電圧回路２が設けられる。定電圧回路２は受信機側からの供給電圧を、例えば＋１２ボルトに安定化して出力する。定電圧回路２に続いては、煙検出部３が設けられる。
【００２２】
定電圧回路２の前段には伝送部４が設けられる。伝送部４に続いては定電圧回路５が設けられる。定電圧回路５は、定電圧回路２からの＋１２ボルトの電源供給を受けて、＋３ボルトに安定化した定電圧出力を生ずる。定電圧回路５に続いてはＣＰＵ６が設けられる。ＣＰＵ６に対しては、アドレス・種別設定回路７、クロック発振回路８及びリセット回路９が設けられている。
【００２３】
このＣＰＵ６には、本発明による発光パルス幅の制御により感度を調整するための発光パルス幅制御部１６と、煙検出部３からの受光出力信号をデジタル信号に変換して読み込むＡ／Ｄ変換器１７が設けられている。
【００２４】
煙検出部３は、ＬＥＤ発光回路１０、受光回路１１及び受光増幅回路１２を備える。ＬＥＤ発光回路１０は、間欠的に光源としてのＬＥＤを発光している。このＬＥＤの発光は、端子Ｓ，ＳＣに対する受信機からの一定周期の呼出信号に同期して発光駆動してもよいし、クロック発振回路８のクロックパルスから分周した分周パルスを用いて一定時間間隔で発光してもよい。またＬＥＤを発光駆動するパルス信号のパルス幅は、ＣＰＵ６の発光パルス幅制御部１６により調整されたパルス幅を使用する。
【００２５】
受光回路１１は、ＬＥＤ発光回路１０で発光駆動したＬＥＤからの光の火災により流入した煙による散乱光を受光して電気信号に変換する。受光回路１１で受光された微弱な受光信号は受光増幅回路１２で増幅された後、ＣＰＵ６に対し煙信号として出力される。
【００２６】
伝送部４は、伝送信号検出回路１５と応答信号回路１３で構成される。応答信号回路１３には差動表示灯１４が含まれる。伝送信号検出回路１５は、端子Ｓ，ＳＣに対する図示しない受信機からの各種の要求信号を受信し、ＣＰＵ６に伝送要求を伝える。この受信機からの伝送要求信号は、コマンド、アドレス、チェックサムで構成されている。
【００２７】
ＣＰＵ６は伝送信号検出回路１５より受信機からの伝送要求信号を受けると、Ａ／Ｄ変換器１７で取り込んでいる受光増幅回路１２からの煙データを応答する。
【００２８】
応答信号回路１３による作動表示灯１４の点灯駆動は、ＣＰＵ６が受信機に対し応答動作を行うときに点灯する。また受信機に伝送した煙データに基づいて火災が判断されたときの受信機からの火災検出信号に基づき、作動表示灯１４を点灯してもよい。即ち、応答信号伝送時は作動表示灯１４は点滅であり、受信機からの火災検出信号を受けたときは作動表示灯１４は点灯となる。
【００２９】
更に、受信機から光電式煙感知器に対する伝送要求信号は、端子Ｓ，ＳＣ間に接続する一対の信号線の電圧変化で伝送され、これに対し光電式煙感知器の伝送部４からの応答信号は受信機からの信号線間に電流を流す電流モードで伝送される。
【００３０】
アドレス・種別設定回路７は、感知器アドレスをＣＰＵ６に設定し、感知器の種別を決めている。クロック発振回路８は、ＣＰＵ６を動作するためにクロックパルスを発振する。リセット回路９は、受信機側での電源投入時に、ＣＰＵ６に対する定電圧回路５からの電源電圧が規定電圧に立ちあがったときにリセット信号をＣＰＵ６に出力して、ＣＰＵ６のイニシャルリセットを行う。
【００３１】
このような光電式煙感知器において、本発明にあっては、ＣＰＵ６のプログラム制御による機能として発光パルス幅制御部１６を設けている。発光パルス幅制御部１６は、ＬＥＤ発光回路１０のＬＥＤを発光駆動するパルス信号のパルス幅Ｗを制御して所定の感度に調整する。この発光パルス幅制御部１６による感度調整は、光電式煙感知器の製造段階における最終的な調整工程で行われる。
【００３２】
図２は本発明の発光パルス幅を１０μｓとした場合の発光パルスと煙出力のタイムチャートである。図２において、発光パルス１８ａはパルス幅Ｗ＝１０μｓとして図１のＬＥＤ発光回路１０により与えられて、発光用ＬＥＤを発光駆動している。
【００３３】
このとき検煙空間には一定の濃度の煙が流入しているか、あるいは一定の煙濃度に対応した擬似的な散乱光を受光素子に入射する試験部材がセットされている。このようなパルス幅Ｗ１０μｓの発光パルス１８ａによりＬＥＤを発光駆動すると、その下側に示すように若干の遅延時間後に煙出力２０ａが得られる。
【００３４】
この煙出力２０ａは、発光パルス１８ａにより発光されている間は、ある時定数で増加しているが、発光パルス１８ａが停止すると減少する山形の波形となり、そのピークレベルは約０．２ボルトとなっている。
【００３５】
図３は図２と同じ煙検出条件で発光パルス幅ＷをＷ＝２５μｓに増加させた発光パルス１８ｂでＬＥＤを発光させたときの煙出力２０ｂのタイムチャートである。このように発光パルス幅２５μｓに増加させると、煙出力２０ｂは、発光パルス１８ｂにより発光されている間は、ある時定数で増加し、その期間は図２の１０μｓに比べ２５μｓと長いことから更に増加し、発光パルス１８ｂが停止すると減少する山形の波形となり、そのピーク値が約１．６ボルトに増加する。
【００３６】
図４は図２と同じ煙検出条件で発光パルス幅をＷ＝５０μｓとした発光パルス１８ｃによるＬＥＤの発光駆動で得られた煙出力２０ｃのタイムチャートである。このときの煙出力２０ｃは、ピークレベルとして約４ボルトが得られている。
【００３７】
更に発光パルス幅Ｗを長くしていくと、煙出力は飽和するようになり、この飽和するまでのパルス幅が本発明の制御で有効に使用できる発光パルス幅の上限値となる。
【００３８】
この図２，図３，図４における発光パルス幅を１０μｓ，２５μｓ，５０μｓとした場合の煙出力２０ａ，２０ｂ，２０ｃから明らかなように、受光出力が飽和レベルに達するまでの期間内で発光パルス幅を変えることで、これに応じて受光素子からの煙出力を変えることができ、この関係を利用することで、本発明にあっては、発光パルス幅の制御によって所定の感度、火災と判断する所定の煙濃度での煙出力が動作点（閾値）となるように感度調整を行い、このときパルス幅Ｗを調整値として保持し、この調整値を発光パルス幅として以後使用する。
【００３９】
図５は感度切替スイッチを備えた本発明の実施形態の回路ブロック図であり、図１の煙検出部３とＣＰＵ６の部分を取り出している。
【００４０】
図５において、ＬＥＤ発光回路１０にはＬＥＤ１０ａが設けられ、トランジスタＱ１、抵抗Ｒ１，Ｒ２，Ｒ３による駆動回路により発光駆動される。
【００４１】
受光回路１１には受光素子１１ａが抵抗Ｒ４に直列接続されて設けられる。受光増幅回路１２は帰還抵抗Ｒ５を備えたオペアンプ１２ａで構成されている。
【００４２】
ＣＰＵ６には、この実施形態にあっては、外部に複数の感度設定スイッチ２１ａ，２１ｂ，…２１ｎを設けている。感度設定スイッチ２１ａ〜２１ｎは、予め定めた異なる所定感度に対応したパルス幅を選択的に設定する。
【００４３】
即ち、感度設定スイッチ２１ａに最小パルス幅Ｗｍｉｎを割り当て、残りの感度設定スイッチ２１ｂ〜２１ｎに所定の変化値ΔＷずつ順次増加させた発光パルス幅Ｗｍｉｎ＋ΔＷ，Ｗｍｉｎ＋２ΔＷ，…Ｗｍｉｎ＋（ｎ−１）ΔＷを割り当てている。
【００４４】
この感度設定スイッチ２１ａ〜２１ｎは例えばディップスイッチであり、任意の１つをオンすることで、オンした感度設定スイッチに対応した発光パルス幅が発光パルス幅制御部１６により設定され、ＬＥＤ発光回路１０のＬＥＤ１０ａを発光駆動して、感度設定スイッチにより決まる受光出力（感度）を受光増幅回路１２の煙信号として得ることができる。
【００４５】
図６は図５の発光パルス幅制御部１６による感度設定処理のフローチャートである。この感度設定処理にあっては、ステップＳ１でオン状態としている感度設定スイッチを検知し、ステップＳ２で、検知した感度設定スイッチに対応した発光パルス幅を取得してＬＥＤ１０ａを発光駆動する。
【００４６】
感度設定スイッチと発光パルス幅との対応関係は、テーブルデータとして予めＣＰＵ６側に記憶しておけばよい。具体的にはＣＰＵ６に対し設けているＥ２ＰＲＯＭなどの不揮発メモリに保存しておけばよい。
【００４７】
図７は設定感度に自動調整する本発明の実施形態の回路ブロック図であり、図１の煙検出部３とＣＰＵ６の部分を取り出している。
【００４８】
図７において、ＬＥＤ発光回路１０はＬＥＤ１０ａに抵抗Ｒ３を直列接続し、更にトランジスタＱ２，Ｑ３及び抵抗Ｒ６，Ｒ７で構成される定電流回路を備え、この定電流回路に対し、ＣＰＵ６の出力ポートに接続されたトランジスタＱ１，抵抗Ｒ１，Ｒ２のドライブ回路を設けている。
【００４９】
受光回路１１は受光素子１１ａと直列に抵抗Ｒ４を接続しており、受光増幅回路１２は帰還抵抗Ｒ５を備えたオペアンプ１２ａで構成される。またＣＰＵ６にはオペアンプ１２ａからの煙出力をデジタル信号に変換して取り込むＡ／Ｄ変換器１７が設けられ、またＣＰＵ６のプログラム制御により実現される設定感度に自動調整するための発光パルス幅制御部１６を備えている。
【００５０】
更に不揮発メモリとなるＥ２ＰＲＯＭ２２が設けられ、ここに発光パルス幅制御部１６の調整処理により確定された発光パルス幅Ｗの値が調整値として保持されている。
【００５１】
ここでＬＥＤ発光回路１０に定電流回路を設けている理由は、定電流回路により駆動電流を一定に維持し、発光パルス幅ＷのみによってＬＥＤ１０ａの発光強度を度制御するためであり、感度調整がより高精度にできる。
【００５２】
図８は図７の発光パルス幅制御部６による感度設定処理のフローチャートである。この感度設定処理は、ステップＳ１で調整しようとする設定感度の対応受光出力、例えば火災と判断する動作点の閾値としての受光出力値を制御目標値としてセットする。
【００５３】
続いてステップＳ２で、予め定めた発光パルス幅Ｗの初期設定を行う。この発光パルス幅Ｗの初期値は、予め定めた所定の最小パルス幅とする。続いてステップＳ３で、初期設定した発光パルス幅ＷによるＬＥＤ１０ａの発光駆動を行い、ステップＳ４で受光増幅回路１２の煙出力を受光出力としてＡ／Ｄ変換器１７でデジタル信号に変換して読み込み、そのピーク値を検知する。
【００５４】
続いてステップＳ５で予め設定した回数に到達したか否かチェックし、到達していないことから、ステップＳ６で回数を示すカウンタｎを１つ増加させた後、ステップＳ３に戻って再度、発光駆動を行い、ステップＳ４の受光出力のピーク値検知を繰り返す。尚、所定回数ピーク値検知を繰り返すのは、受光出力を平均化するためである。
【００５５】
ステップＳ５で予め設定した回数に到達すると、ステップＳ７で複数回の発光駆動で得られた受光出力のピーク値から平均受光出力を算出する。続いてステップＳ８で目標値としてセットされた受光出力の設定値と比較し、ステップＳ９で設定値に一致していない場合には、ステップＳ１０に進む。
【００５６】
ステップＳ１０にあっては、平均受光出力が設定値より小さいか否かチェックし、小さければステップＳ１１に進み、現在のパルス幅に予め定めた所定値の変化値ΔＷを加えることでパルス幅を増加させた後、ステップＳ３からの処理を繰り返す。
【００５７】
またステップＳ１０で平均受光出力が設定値より大きかった場合には、ステップＳ１２に進み、現在のパルス幅Ｗから変化値ΔＷを差し引いてパルス幅を減らした後、ステップＳ３に戻って処理を繰り返す。
【００５８】
このような設定値に平均受光出力を近付けるように発光パルス幅Ｗが制御されることで、最終的にステップＳ９で平均受光出力は設定値に一致し、これがステップＳ９で判別されると、ステップＳ１３で、そのときの発光パルス幅Ｗを確定した調整値としてＥ２ＰＲＯＭ２２に保存し、それ以降、感知器を動作する際には、保存した調整値としての発光パルス幅ＷによるＬＥＤ１０ａの発光駆動が行われる。
【００５９】
図９は本発明の発光パルス幅制御部１６を利用した汚れ補償処理のフローチャートである。図９において、この汚れ補償処理は、感知器の使用状態においてステップＳ１で予め定めた所定の補償タイミング、例えば１ヶ月に１回といった補償タイミングへの到達の有無をチェックしており、補償タイミングが判別されると、ステップＳ２に進み、ゼロ点感度設定処理が実行される。
【００６０】
このゼロ点感度設定処理は、図８のフローチャートに示した感度設定処理において、ステップＳ１における設定感度の対応受光出力をゼロ点対応値とした設定処理である。より具体的には、補償タイミング時点の受光出力を光電式煙感知器の出荷時にＥ２ＰＲＯＭ２２に保持した汚れ補償初期値（感知器の使用開始時に保持した受光出力値）と比較し、汚れ補償初期値に対し現在の受光出力値が所定値を超えて増加していた場合には、ステップＳ２のゼロ点感度設定処理が図８のステップＳ１〜Ｓ１３と同じ処理に従って行われる。
【００６１】
ステップＳ２でゼロ点感度設定処理が済むと、ステップＳ３で調整異常の有無をチェックする。正常であればステップＳ１に戻り、次の補償タイミングを待つことになる。これに対し、万一、ＬＥＤ１０ａなどの故障により発光停止となったような場合には、調整異常が認識され、ステップＳ４に進み、受信機側に対し障害発生通知を行うことになる。
【００６２】
なお上記の実施形態は、製造段階の調整工程における感度調整、感知器の使用状態における汚れ補償などにおける発光パルス幅の制御による感度調整を例にとるものであったが、本発明はこれに限定されず、光電式煙感知器に必要とされる適宜の感度調整につきそのまま適用することができる。
【００６３】
また火災受信機から本発明の光電式煙感知器の発光パルス幅制御部に対し設定感度に対応した受光出力値を制御コマンドにより転送し、遠隔的に感度調整を行うようにしても良い。
【００６４】
また本発明の光電式煙感知器に、所定の高感度に対応した発光パルス幅と所定の低感度に対応した発光パルス幅を発光パルス幅制御部により予め求めて保持しておき、通常は高感度の発光パルス幅による発光駆動で火災監視し、この状態で火災が判断されたら、低感度の発光パルス幅による発光駆動に切替えて火災を確定する多感度監視としても良い。
【００６５】
また製造時の調整工程で、発光パルス幅の変化に対する受光出力値の関係、即ち感度特性を予め計測して不揮発メモリに記憶しておき、発光パルス幅制御部は、所定の感度に対応して受光出力値により不揮発メモリに記憶した感度特性に基づいて対応する発光パルス幅を求めるようにしても良い。
【００６６】
このために測定する感度特性は、発光パルス幅と受光出力値の関係を略直線関係とみなすことで、直線を決める２点の測定結果を不揮発メモリに記憶しておけば良い。勿論、測定結果から得られた発光パルス幅と受光出力値の関係を格納したデータテーブルを用いても良い。
【００６７】
【発明の効果】
以上説明してきたように本発明によれば、光電式煙感知器における発光パルス幅と受光出力の関係から発光パルス幅を制御して所定の受光出力を与える所定感度に調整することで、煙感知器に設けているＣＰＵの制御処理により簡単に感度調整を行うことができ、ボリュームや抵抗差し替えといった人為的な作業を必要とする調整手段を必要としないことから、調整作業が極短時間ででき、しかもＣＰＵによるパルス幅制御により高精度の感度調整ができる。更にボリュームのような調整手段を持たないことから、感知器を経年変化や環境の悪い場所に設置していても長期安定性が保証できる。
【図面の簡単な説明】
【図１】本発明による光電式煙感知器の内部回路のブロック図
【図２】発光パルス幅を１０μｓとした場合の発光パルス出力と受光出力のタイムチャート
【図３】発光パルス幅を２５μｓとした場合の発光パルス出力と受光出力のタイムチャート
【図４】発光パルス幅を５０μｓとした場合の発光パルス出力と受光出力のタイムチャート
【図５】感度切替スイッチを備えた本発明の実施形態の回路ブロック図
【図６】図５の発光パルス幅制御部による感度設定処理のフローチャート
【図７】設定感度に自動調整する本発明の実施形態の回路ブロック図
【図８】図７の発光パルス幅制御部による感度設定処理のフローチャート
【図９】本発明による汚れ補償処理のフローチャート
【符号の説明】
１：ノイズ吸収回路
２，５：定電圧回路
３：煙検出部
４：伝送部
６：ＣＰＵ
７：アドレス・種別設定回路
８：クロック発振回路
９：リセット回路
１０：ＬＥＤ発光回路
１０ａ：ＬＥＤ
１１：受光回路
１１ａ：受光素子
１２：受光増幅回路
１３：応答信号回路
１４：作動表示灯
１５：伝送信号検出回路
１６：発光パルス幅制御部
１７：Ａ／Ｄ変換器
２２：Ｅ２ＰＲＯＭ
【図１】
2004246756.tif 000003
【図２】
2004246756.tif 000004
【図３】
2004246756.tif 000005
【図４】
2004246756.tif 000006
【図５】
2004246756.tif 000007
【図６】
2004246756.tif 000008
【図７】
2004246756.tif 000009
【図８】
2004246756.tif 000010
【図９】
2004246756.tif 000011